(57)【特許請求の範囲】
【請求項１】
取扱い可能な媒体に応じた鑑別部と前記媒体を収納する媒体収納カセットとを有し、該媒体を装置内部に収納処理する媒体処理装置において、
前記鑑別部によって取扱い可能な媒体の金種データを入金可能な媒体の金種データとして記憶する第一の記憶手段を該鑑別部に備え、
前記媒体収納カセットに収納する媒体の金種データを記憶する第二の記憶手段を該媒体収納カセットに備え、
前記鑑別部の鑑別情報を記憶する第三の記憶手段を該鑑別部の鑑別情報を管理する制御部に備え、
前記第一の記憶手段に記憶された入金可能な媒体の金種データと、前記第二の記憶手段に記憶された収納する媒体の金種データとを比較手段で比較し、
前記媒体の金種データが一致した場合、該一致した媒体の金種データを出金可能な媒体の金種データとして前記第三の記憶手段に記憶することを特徴とする
媒体処理装置。
【請求項２】
前記第一の記憶手段に記憶された入金可能な媒体の金種データと、前記第二の記憶手段に記憶された収納する媒体の金種データとを比較手段で比較し、
前記媒体の金種データが一致しなかった場合、該一致しない媒体の媒体収納カセットを取扱い不可能な媒体収納カセットとして前記第三の記憶手段に記憶することを特徴とする
請求項１に記載の媒体処理装置。
【請求項３】
前記鑑別部を装置本体に対し着脱可能に構成し、
取扱う媒体に応じて、対応する前記鑑別部を装着することを特徴とする
請求項１又は２に記載の媒体処理装置。
【請求項４】
前記媒体収納カセットを装置本体に対し着脱可能に構成し、
取扱う媒体に応じて、対応する前記媒体収納カセットを装着することを特徴とする
請求項１から３のいずれか１に記載の媒体処理装置。
【請求項５】
前記取扱う媒体は、異なる各国の紙幣であることを特徴とする
請求項３又は４に記載の媒体処理装置。
【発明の詳細な説明】
【０００１】
【発明の属する技術分野】
この発明は、紙幣等の媒体を取扱う自動取引機に内部構成されるような媒体処理装置に関し、さらに詳しくは各国の金種のように種類の異なる媒体を効率よく取扱えるようにした媒体処理装置および入出金装置に関する。
【０００２】
【従来の技術】
以下、各国で利用されている出金機を例にとって説明すると、この種の出金機は複数の金種別の紙幣を出金許容して内部の金種別カセットに収納している。さらに、各金種別カセットには取扱う紙幣情報を記憶したＲＯＭを備えており、このＲＯＭの紙幣情報を制御部が読取って出金管理している。
【０００３】
しかし、紙幣のリサイクル運用を図って出金機から入出金機に切換え利用する場合は、入金紙幣を出金紙幣として取扱い利用し、またこれを監視制御するためのリサイクル管理機能を要して容易に切換え利用できなかった。また、入金された紙幣を出金時に鑑別部で適正に鑑別できるか否かの鑑別信頼性に乏しいなど入出金機への切換えが容易にできなかった。
【０００４】
また、現状の国内で使用されている入出金機は、千円札、五千円札、万円札の３金種と取扱い紙幣が決まっているため、制御部も同様のソフトウェアで利用されている。しかしながら、国内用から国外用に利用変更する場合は、各国の金種毎に応じたソフトウェアの変更を要して容易に利用変更できない問題を有していた。
【０００５】
【発明が解決しようとする課題】
そこでこの発明は、媒体の種類に応じた利用変更を容易に実現することを目的とし、取扱い可能な種類の媒体の鑑別機能を有する鑑別部と、取扱い可能な種類の媒体の収納機能を備えたカセットとを備えることにより効率よく利用変更を可能にした媒体処理装置および入出金装置を提供する。
【０００６】
【課題を解決するための手段】
請求項１記載の発明は、取扱い可能な媒体に応じた鑑別部と前記媒体を収納する媒体収納カセットとを有し、該媒体を装置内部に収納処理する媒体処理装置において、前記鑑別部によって取扱い可能な媒体の金種データを入金可能な媒体の金種データとして記憶する第一の記憶手段を該鑑別部に備え、前記媒体収納カセットに収納する媒体の金種データを記憶する第二の記憶手段を該媒体収納カセットに備え、前記鑑別部の鑑別情報を記憶する第三の記憶手段を該鑑別部の鑑別情報を管理する制御部に備え、前記第一の記憶手段に記憶された入金可能な媒体の金種データと、前記第二の記憶手段に記憶された収納する媒体の金種データとを比較手段で比較し、前記媒体の金種データが一致した場合、該一致した媒体の金種データを出金可能な媒体の金種データとして前記第三の記憶手段に記憶することを特徴とする。
【０００７】
請求項２記載の発明は、前記第一の記憶手段に記憶された入金可能な媒体の金種データと、前記第二の記憶手段に記憶された収納する媒体の金種データとを比較手段で比較し、前記媒体の金種データが一致しなかった場合、該一致しない媒体の媒体収納カセットを取扱い不可能な媒体収納カセットとして前記第三の記憶手段に記憶することを特徴とする。
【０００８】
請求項３記載の発明は、前記鑑別部を装置本体に対し着脱可能に構成し、取扱う媒体に応じて、対応する前記鑑別部を装着することを特徴とする。
【０００９】
請求項４記載の発明は、前記媒体収納カセットを装置本体に対し着脱可能に構成し、取扱う媒体に応じて、対応する前記媒体収納カセットを装着することを特徴とする。
【００１０】
請求項５記載の発明は、前記取扱う媒体は、異なる各国の紙幣であることを特徴とする。
【００１１】
【作用】
この発明によれば、鑑別部の取扱い可能な媒体の種類を鑑別する鑑別情報を制御手段が入金可能な媒体として記憶管理し、この鑑別情報に基づいて制御手段は入金可能な媒体のみを受付けるように制御管理する。
【００１２】
同じく、媒体収納カセットの記憶部に記憶されている媒体の種類情報と、鑑別部の鑑別情報とを比較手段が比較して装着されたカセットの適否を監視する。
【００１３】
装着されたカセットの媒体の種類情報が鑑別部の鑑別情報と一致する場合には、かかる媒体は本装置で出金可能な媒体として、制御手段に記憶され管理される。
【００１４】
【発明の効果】
この結果、鑑別部は鑑別可能な種類の媒体のみを受付け許容し、また受入れ対応する種類のカセットに収納管理して出入れ処理するリサイクル媒体として取扱うことができる。一方、鑑別部で取扱えない媒体は利用不可と判定して受付け拒否し、また鑑別部で取扱えない媒体のカセットが装着された場合は利用不可と判定してカセットの誤装着を検出できる。
【００１５】
したがって、取扱い利用する媒体の種類に応じた鑑別部とカセットとを装置本体に着脱して切換えるように構成すれば、略全ての種類の媒体の取扱いが可能となる。例えば、国内用から国外用の紙幣へと利用変更する場合は、金種によってサイズ差が大きく異なる外国紙幣であってもその種類に応じた鑑別部とカセットとを交換すれば、この媒体処理装置を容易に利用変更できる。また、この場合は制御部でのソフトウェアの変更を省略して容易に利用変更できる。
【００１６】
さらに、媒体の収納処理時に、鑑別内容に応じて媒体を収納するカセットを選択して収納処理することができる。例えば、多金種を受入れ許容して金種対応する規定の媒体収納カセットがない場合、またカセットが満杯の場合は、リジェクトカセットに切換えて収納処理することができる。
【００１７】
【実施例】
この発明の一実施例を以下図面に基づいて詳述する。
図１は紙幣入出金機に内部構成される紙幣処理装置１１を示し、この紙幣処理装置１１は上部前面（図中左上）に入金口１２と返却口兼用の出金口１３を設け、これらの入出金口１２，１３と連通する内方には、入出金紙幣を識別する識別部１４と、紙幣の偏位を修正する偏位修正機構１５と、紙幣を返却／取込み用に一時保留する一時保留部１６と、紙幣を金種別に収納する第１〜第４カセットＣ1 〜Ｃ4 と、識別不良と判定した紙幣、損券紙幣および取忘れ紙幣等を回収するリジェクトカセットＣ5 とを内蔵し、これらをリサイクル式にループ状の搬送ラインＬ1 、Ｌ2 で接続している。
【００１８】
この場合、紙幣処理装置１１の上部側を紙幣搬送用の搬送処理群１７に設け、下部側を紙幣収納用の収納処理群１８に設けて装置１１の上下を搬送系と収納系とに分離構成している。
【００１９】
上部側の搬送処理群１７は、入金口１２、出金口１３、識別部１４、偏位修正機構１５、一時保留部１６とをループ状に接続する上部搬送ラインＬ1 と、識別部１４と各カセットＣ1 〜Ｃ5 とをループ状に接続する下部搬送ラインＬ2 との上下の搬送ラインＬ1 ，Ｌ2 を接続して構成し、またこれら上下の搬送ラインＬ1 ，Ｌ2 および下方の各カセットＣ1 〜Ｃ5 の紙幣出入れ部分には、紙幣Ａの通過を検知確認する通過検知センサＳ…を多数配設して入出金処理状態を検知確認している。
【００２０】
下部側の収納処理群１８は、紙幣処理装置１１の前面側から後面側にかけて千円札、五千円札、万円札、予備札や混合札を収納する第１〜第４カセットＣ1 〜Ｃ4 とリジェクトカセットＣ5 とを配設しており、これらのカセットより紙幣を出入れして入出金取引を許容している。
【００２１】
この場合、入金時に入金口１２に投入された紙幣Ａは、入金口１２→識別部１４→偏位修正機構１５→一時保留部１６の順で搬送処理する入金経路を介して一時保留部１６に搬送し、入金確定すると一時保留部１６から紙幣を繰出して一時保留部１６→識別部１４→カセットＣ1 〜Ｃ5 の順で搬送処理する収納経路を介して各カセットＣ1 〜Ｃ5 に振分けて収納処理する。また入金取消しがあると、一時保留部１６に保留した紙幣を一時保留部１６→識別部１４→上部搬送ラインＬ1 に分岐接続した返却搬送ラインＬ3 に導いて入金返却口兼用の出金口１３へと搬送する返却経路により返却処理する。
【００２２】
また、出金時には金種対応する各カセットＣ1 〜Ｃ4 から紙幣を繰出して下部搬送ラインＬ2 および上部搬送ラインＬ1 を介して一時保留部１６に搬送し、出金取引確定後にシャッタを開けて出金口１３から紙幣を取出し許容する。
【００２３】
識別部１４は、上下部搬送ラインＬ1 ，Ｌ2 の共通ライン上に配設して、ここを通過する紙幣の外形状、金種判定要素および真偽判定要素を捉えて偏位量や金種等を識別している。また、紙幣が位置ズレして偏位修正が必要なときは一時保留部１６の前段に配設した偏位修正機構１５を駆動して、ここに導かれた紙幣の偏位を修正し、また一時保留部１６の前段に配設した整列集積用の回転羽根１９で安定した整列集積を促進している。
【００２４】
ところで、識別部１４には金種を識別することができる数金種の記憶情報を備えており、この記憶情報に基づいて受入れ可能な金種の紙幣のみを受付け、利用不能な金種の紙幣は受付け拒否する。したがって、取扱い利用する紙幣の種類に応じた識別部を装置本体に着脱して切換えるように構成すれば、略全ての種類の紙幣の取扱いが可能となる。
【００２５】
また、図２に示すように、外国紙幣等の様々な利用紙幣を収納する交換用のカセット２１，２２を着脱利用すれば、多種類の紙幣の取扱いに利用することができ、ソフトウェアの変更を要せず、そのまま適用することができる。
【００２６】
また、紙幣の収納処理時に、識別内容に応じて紙幣を収納するカセットを選択して収納処理することができる。例えば、多金種を取扱い許容して金種対応する規定の媒体収納カセットがない場合、あるいは規定のカセットが満杯の場合は、リジェクトカセットＣ5 に切換えて収納処理することができ、この紙幣入出金機の運用状態に応じた収納処理が可能となる。
【００２７】
図３は紙幣処理装置１１の紙幣監視系の制御回路ブロック図を示し、制御部３１に備えられたＣＰＵ３１ａは、この紙幣処理装置１１に着脱許容された識別部１４および第１〜第４カセットＣ1 〜Ｃ4 を接続してＲＯＭ３１ｂに格納されたプログラムに沿って各回路装置を制御し、その制御データをＲＡＭ３１ｃで読出し可能に記憶する。
【００２８】
この場合、識別部１４は取扱い許容する数金種のデータを記憶管理しており、異金種のデータを備えた交換用の識別部３２…と交換することにより異金種対応用に利用変更することができる。またこの場合は、その金種に応じた交換用のカセット２１を着脱して切換え、切換えられたＲＯＭ２１ａのデータが制御部３１に通知される。
【００２９】
また、識別部１４のＣＰＵ１４ａは、ＲＯＭ１４ｂに格納されたプログラムに沿って識別情報を制御し、その制御データをＲＡＭ１４ｃで読出し可能に記憶して、紙幣の通過時には記憶管理している取扱い許容する照合データと照合し、その照合結果の識別データを制御部３１に通知する。
【００３０】
さらに、制御部３１は制御端末機３３と接続して、ユーザからの指示を入出金機側に通知し、入出金機側の情報をユーザに通知する。これは、制御部３１が各カセットＣ1 〜Ｃ4 からの紙幣種別データを読取り、また識別部１４からの紙幣種別データを読取って、制御端末機３３に対して入金可能な紙幣種別、出金可能な紙幣種別、カセットの誤装着等のデータを出力する。
【００３１】
このように構成された紙幣処理装置１１の取扱い紙幣の利用変更処理動作を図４のフローチャートを参照して説明する。
今、取扱い紙幣の利用変更に伴って識別部１４およびカセットＣ1 〜Ｃ4 を交換したとき、制御部３１はセットされた識別部１４に記憶されている取扱い可能な紙幣の数金種の種別データを収集し、これを新規の取扱い紙幣に設定して記憶管理する（ステップｎ1 ）。
【００３２】
識別部１４からのデータ収集後は、取扱い可能な金種毎に装着される各カセットＣ1 〜Ｃ4 からのデータ収集を行い（ステップｎ2 ）、
データ収集を行った識別部１４からの種別データと、各カセットＣ1 〜Ｃ4 からの種別データとを照合し（ステップｎ3 ）、
種別データが一致すれば、その一致した種別の紙幣を入出金取引可能に取扱うように制御部３１が記憶管理し（ステップｎ4 ）、
種別データが一致しなければ、取扱い不能な紙幣のカセットが誤装着されたと判定する（ステップｎ5 ）。
【００３３】
このようにして各カセット毎のデータを収納管理し、全てのカセットＣ1 〜Ｃ4 からのデータ収集が完了すれば（ステップｎ6 ）、
制御部３１は入金可能に取扱う紙幣の種別データと、出金可能に取扱う紙幣の種別データと、装着されたカセットの適否データとを制御端末機３３に通知して、取扱い紙幣の利用変更処理動作が終了する（ステップｎ7 ）。
【００３４】
上述のように、識別部が識別可能な種類の紙幣のみを受付け許容し、また受入れ対応する種類のカセットがあれば、そのカセットに収納して出入れ許容するリサイクル紙幣として取扱うことができる。一方、識別部で取扱えない紙幣は利用不可と判定して受付け拒否し、また識別部で取扱えない紙幣のカセットが装着された場合は利用不可と判定してカセットの誤装着を検出できる。
【００３５】
したがって、取扱い利用する紙幣の種類に応じた識別部とカセットとを装置本体に着脱して切換えるように構成すれば、略全ての種類の紙幣の取扱いが可能となる。例えば、国内用から国外用の紙幣へと利用変更する場合は、金種によってサイズ差が大きく異なる外国紙幣であってもその種類に応じた識別部とカセットとを交換すれば、この紙幣処理装置を容易に利用変更でき、またこの場合は制御部でのソフトウェアの変更を省略して容易に利用変更できる。
【００３６】
さらに、多金種を受入れ許容して金種対応する規定の媒体収納カセットがない場合や規定のカセットが満杯の場合は、リジェクトカセットに切換えて収納処理することができる。
【００３７】
この発明と、上述の一実施例の構成との対応において、
この発明の媒体処理装置および装置本体は、実施例の紙幣処理装置１１に対応し、
以下同様に、
入出金装置は、紙幣入出金機に対応し、
搬送路は、各搬送ラインＬ1 〜Ｌ3 に対応し、
媒体は、紙幣Ａに対応し、
鑑別部は、識別部１４に対応し、
制御手段および比較手段は、制御部３１に対応し、
媒体収納カセットおよび金種別カセットは、第１〜第４カセットＣ1 〜Ｃ4 と交換用のカセット２１，２２に対応し、
金種設定手段は、各識別部１４，３２と、各カセットＣ1 〜Ｃ4 、２１，２２および制御部３１との制御系に対応するも、
この発明は、上述の実施例の構成のみに限定されるものではない。
【図面の簡単な説明】
【図１】この発明の紙幣入出金機に内部構成される紙幣処理装置の概略側面図。
【図２】この発明の紙幣処理装置で交換利用する交換用のカセットの内部側面図。
【図３】この発明の紙幣処理装置の紙幣監視系の制御回路ブロック図。
【図４】この発明の紙幣処理装置の取扱い紙幣の利用変更処理動作を示すフローチャート。
【符号の説明】
１１…紙幣処理装置
１４…識別部
Ｃ1 〜Ｃ5 …カセット
Ｌ1 〜Ｌ3 …搬送ライン
Ａ…紙  幣
２１，２２…交換用のカセット
３１…制御部
３２…交換用の識別部
【図１】
0003562093.tif 000002
【図２】
0003562093.tif 000003
【図３】
0003562093.tif 000004
【図４】
0003562093.tif 000005